(57)【要約】      （修正有）【課題】結合が容易でありながら、分離防止のためのかみ合い結合手段の摩耗を最小化し、長期間繰り返し使用にも結合力を維持できる一文字組み立てブロックを提供する。【解決手段】一文字組み立てブロックは、一側端が弧形で突き出されて他側端はお互いに結合されるかみ合い組み立て手段１４０を有する雌、雄ピースブロック１００、１１０や両側端にお互いに異なる形態のかみ合い組み立て手段１４０が形成された連結ブロック１２０とで構成され、かみ合い組み立て手段１４０の両側結合面にガイド手段１５０が形成され、ガイド手段１５０に沿って案内されてかみ合いされる結合手段１６０で同一直線上で連結され、凹入部１４１の角に弾性ホール１８０を形成して突出部１４２がガイドされて結合される時に凹入部１４１が左右外側に離れるように弾性作動されてかみ合い結合手段１６０の摩耗を防止する。【選択図】図１
0003228400.tif 000002
【実用新案登録請求の範囲】
【請求項１】
一側端が回転可能に回動軸１００ａ、１１０ａ、１２０ａが形成された弧形で突き出されて他側端はお互いに結合されるかみ合い組み立て手段１４０を有する雌、雄ピースブロック１００、１１０や両側端にお互いに異なる形態のかみ合い組み立て手段１４０が形成された連結ブロック１２０で構成され、前記かみ合い組み立て手段１４０は凹入部１４１と突出部１４２の形態でなされて前記凹入部１４１と突出部１４２それぞれの両側結合面１０１、１１１にガイド手段１５０と前記ガイド手段１５０に沿って案内される結合手段１６０と任意分離防止のためのかみ合い結合手段１７０でなされて同一直線上で連結される一文字組み立てブロックにおいて、
前記凹入部１４１の角で回動軸１００ａ、１１０ａ、１２０ａが形成された内側方向に弾性作用のための弾性ホール１８０を形成して突出部１４２がガイドされて結合される時に凹入部１４１が左右外側に離れるように弾性作動されてかみ合い結合手段１７０の摩耗を防止するようにすることを特徴とする結合が容易で摩耗を防止した一文字組み立てブロック。
【請求項２】
前記凹入部１４１が形成された雌ピースブロック１００と連結ブロック１２０は、わく壁１０２、１２２と上下面に肉取りすることによって前記わく壁１０２、１２２より内入されてわく壁１０２、１２２の肉厚さと等しい肉厚さで形成された内入面１０３、１２３が形成され、前記内入面１０３、１２３に凹入部１４１の角部分と連結される弾性ホール１８０が形成されて凹入部１４１が左右両側に弾性作動されることを特徴とする請求項１に記載の結合が容易で摩耗を防止した一文字組み立てブロック。
【請求項３】
前記弾性ホール１８０は四角形で水平と垂直が直交される外側角部分に弾性基準点が移動されて弾性力が柔軟性あるように離れるように形成されることを特徴とする請求項１に記載の結合が容易で摩耗を防止した一文字組み立てブロック。
【請求項４】
前記弾性ホール１８０は円形の模様で形成されて緩衝力を発生させて弾性作用をより向上するようになることを特徴とする請求項１に記載の結合が容易で摩耗を防止した一文字組み立てブロック。
【請求項５】
前記かみ合い結合手段１７０は雌ピースブロック１００と連結ブロック１２０の凹入部１４１のガイド手段１５０が形成される結合面１０１、１１１に係止溝１０４、１２４が形成され、雄ピースブロック１１０と連結ブロック１２０に形成された突出部１４２の結合手段１６０側面に係止溝１０４、１２４に係止される係止突起１６１が形成されて組み立て方向に構わなく結合されながらも凹入部１４１の弾性力によって堅固な係止構造で結合されることを特徴とする請求項１に記載の結合が容易で摩耗を防止した一文字組み立てブロック。
【考案の詳細な説明】
【技術分野】
【０００１】
本考案は、一側端にお互いに結合されることができるかみ合い組み立て手段が雌、雄の形態でなされて雌、雄ピースブロックをお互いに一文字になるように連結し、組み立てされることができるようにした一文字組み立てブロックに関するものであり、特に、かみ合い組み立て手段を改善してピースブロックの結合された状態で分離されないようにするかみ合い結合手段が繰り返し的な分離結合にも摩耗を防止して持続的な組み立てが維持されるようにしたものである。
【背景技術】
【０００２】
従来の一文字組み立てブロックはチェーン形態で組み立てられるものであり、雌、雄でなされたピースブロックを連結させるか、または雌、雄のピースブロックの間に連結ブロックを連結させて組み立て形状によって多様な長さや形状で組み立てさせることができるようにするものである。
【０００３】
このような一文字組み立てブロックは、本出願人が大韓民国特許登録第１０-０８８７３４０号によって長さの変化を多様に提供することができる一文字組み立てブロックで出願されたし、その組み立て構造は雌、雄ピースブロックにそれぞれ形成されたかみ合い組み立て手段が底面を有する突き出面と内入面の形態でなされて突き出面の底面と内入面が底面がお互いにかみ合われるように雌、雄ピースブロックを上、下側で結合して組み立てされるものである。
【０００４】
しかし、従来の一文字組み立てブロックは、ピースブロックの突き出面と内入面の位置が正確に合わせられない場合結合される部分が易しく行き違って組み立てが容易でない短所があった。
【０００５】
したがって、前記の問題点を改善するために本出願人のまた他の大韓民国特許登録第１０-１２２２０２２号によるとピースブロックを同一直線上で連結させることができるようにした。
【０００６】
このために雌、雄ピースブロックが両側から同一直線上に結合されるようにピースブロックのかみ合い組み立て手段を凹入部と突出部の形態で形成し、凹入部と突出部の両側結合面にガイド手段とガイド手段に沿って案内されてかみ合わされる結合手段を形成するようにし、組み立てされた状態で任意分離を防止するためにガイド手段と結合手段にはそれぞれかみ合い結合手段を形成した。
【０００７】
しかし、このようなものの問題が凹入部に突出部がガイドされる繰り返し的な組み立て結合によって任意分離を防止するように形成されたかみ合い結合手段が摩耗が発生されて組み立てが緩くなるようになる問題が発生された。
【０００８】
すなわち、凹入部に突出部がガイドされながら凹入部に形成された結合手段で突出部に形成された結合手段が凹入部の進入部分にかかられた状態で強制加圧すれば進入されて係止がなされるが、前記結合手段が強制加圧で組み立てがなされるために結合手段に摩耗が発生されながら結合力が劣るようになるものである。
【０００９】
一方、本出願人のまた他の大韓民国特許登録第１０-１４４３２５４によれば、ピースブロックの構造が雄結合部と雄結合部の両側下端に雌結合部の垂直台が雄結合部と直交するように形成し、雄結合部と雌結合部との連結部には開口部を形成して垂直台が柔軟に外側に離れるように弾性作動されて雄結合部を雌結合部に結合時に摩耗を最小化されるようにしたものが提案された。
【００１０】
しかし、このようなピースブロックは雌結合部の垂直台が離れるように弾性作動のために弾性作動の基準点が連結された部分で形成されるように垂直台が雄結合部の下端両側に直交された状態で移動されて形成されることで、このような弾性開け作動が可能になって、また垂直台の密着面積が広いために連結部分がてこ役割をするようになりながら弾性作動がなされるものである。
【００１１】
これに反して、一文字組み立てブロックのピースブロックは、また他のピースブロックや連結ブロックに形成された突出部が結合される凹入部がピースブロックに内入されるように形成されるためにこのような弾性作動が不可能であった。
【００１２】
したがって、一文字組み立てブロックは繰り返し的な組み立てによって摩耗によって組み立てが緩くなるようになりながら消費者らがこのような問題点の改善を要求している実情である。
【考案の概要】
【考案が解決しようとする課題】
【００１３】
したがって、本考案は前記の問題点を解決するためのものであり、かみ合い組み立て手段を改善して凹入部に突出部がガイドで案内されて結合が容易であるようにしながらも凹入部が弾性力を有するようにし、分離防止のためのかみ合い結合手段の摩耗を最小化し、長期間繰り返し的な使用にも結合力を維持するようにしたことにその目的がある。
【課題を解決するための手段】
【００１４】
前記の目的を達成するために本考案では、一側端が回転可能に回動軸が形成された弧形で突き出され、他側端はお互いに結合されるかみ合い組み立て手段を有する雌、雄ピースブロックや両側端にお互いに異なる形態のかみ合い組み立て手段が形成された連結ブロックで構成され、前記かみ合い組み立て手段は凹入部と突出部の形態でなされ、前記凹入部と突出部それぞれの両側結合面にガイド手段と前記ガイド手段に沿って案内されてかみ合いされる結合手段でなされて同一直線上で連結される一文字組み立てブロックにおいて、前記凹入部の角で回動軸が形成された内側方向に弾性作用のための切開ホールを形成して突出部がガイドされて結合される時に凹入部が左右外側に離れるように弾性作動されてかみ合い結合手段の摩耗を防止するようにしたものである。
【考案の効果】
【００１５】
したがって本考案によれば、雌、雄のピースブロックや連結ブロックがガイド構造で組み立てや分解が容易になされながらも任意分離を防止するかみ合い結合手段が繰り返し的な使用にも摩耗が発生されないように弾性で離れるようになりながら組み立てブロックの耐久性を向上させて消費者らの不満を解消しながらもハイクオリティーの商品性を提供することができるようになるものである。
【図面の簡単な説明】
【００１６】
【図１】本考案の一実施例を示したブロックの分解組み立て図である。
【図２】本考案のブロックが組み立てされる段階図である。
【図３】本考案の一実施例による弾性ホールを示したブロックの平面図である。
【図４】図３の弾性ホールの弾性作用状態を示した計略図である。
【図５】本考案のまた他の実施例による弾性ホールを示したブロックの平面図である。
【図６】図５の弾性ホールの弾性作用状態を示した計略図である。
【考案を実施するための形態】
【００１７】
本考案の実施のための最善の形態は、一側端が回転可能に回動軸１００ａ、１１０ａ、１２０ａが形成された弧形で突き出されて他側端はお互いに結合されるかみ合い組み立て手段１４０を有する雌、雄ピースブロック１００、１１０や両側端にお互いに異なる形態のかみ合い組み立て手段１４０が形成された連結ブロック１２０で構成され、前記かみ合い組み立て手段１４０は凹入部１４１と突出部１４２の形態でなされて前記凹入部１４１と突出部１４２それぞれの両側結合面１０１、１１１にガイド手段１５０と前記ガイド手段１５０に沿って案内される結合手段１６０と任意分離防止のためのかみ合い結合手段１７０でなされて同一直線上で連結される一文字組み立てブロックにおいて、
前記凹入部１４１の角で回動軸１００ａ、１１０ａ、１２０ａが形成された内側方向に弾性作用のための弾性ホール１８０を形成して突出部１４２がガイドされて結合される時に凹入部１４１が左右外側に離れるように弾性作動されてかみ合い結合手段１７０の摩耗を防止するようにすることを特徴とする結合が容易で摩耗を防止した一文字組み立てブロックである。
【００１８】
以下、添付図面を参照して本考案を詳しく説明すれば次のようである。
【００１９】
図１に示されたように本考案の一文字組み立てブロックは、一側端が回転可能に回動軸１００ａ、１１０ａ、１２０ａが形成された弧形で突き出され、他側端はお互いに結合されるかみ合い組み立て手段１４０を有する雌、雄ピースブロック１００、１１０や両側端にお互いに異なる形態のかみ合い組み立て手段１４０が形成された連結ブロック１２０で構成され、前記かみ合い組み立て手段１４０は凹入部１４１と突出部１４２の形態でなされて前記凹入部１４１と突出部１４２それぞれの両側結合面１０１、１１１にガイド手段１５０と前記ガイド手段１５０に沿って案内されてかみ合いされる結合手段１６０でなされて同一直線上で連結される公知の構成でなされ、前記凹入部１４１の角で回動軸１００ａ、１１０ａ、１２０ａが形成された内側方向に弾性作用のための弾性ホール１８０を形成して結合時に凹入部１４１が左右外側に離れるように弾性作動されてかみ合い結合手段１６０の摩耗を防止するようにしたものである。
【００２０】
この時前記凹入部１４１は、雌ピースブロック１００と連結ブロック１２０のある一側だけに形成されるものであり、突出部１４２は雄ピースブロック１１０と連結ブロック１２０の凹入部１４１が形成されない反対方向に形成されるものである。
【００２１】
また、前記ガイド手段１５０は雌ピースブロック１００と連結ブロック１２０の凹入部１４１に形成されるものであり、凹入部１４１の結合面１０１、１１１の前、後方に同一水平面上でなされる一直線上のレール１５３形態でなされるものであり、前記レール１５３は結合面１０１、１１１の上、下側に突出顎１５１、１５２を形成させて上、下側突出顎１５１、１５２によって中心部に離隔された空間にレール１５３が形成されるものである。
【００２２】
しかし、前記レール１５３の構造が本考案を制限するものではなく、図面には図示されなかったが結合面１０１、１１１にスライド溝の形態でも可能であるが、射出成形の金型分離のための構造上突出顎のレール構造で形成することが望ましい。
【００２３】
また、前記ガイド手段１５０のレール１５３に案内されるように形成された結合手段１６０は雄結合ブロック１１０と連結ブロック１２０の突出部１４２の結合面１１１、１０１に突出フレーム１６１で形成されて前記結合手段１６０の突出フレーム１６１がガイド手段１５０のレール１５３にガイドされながら案内されてブロックの組み立てが拗くれないで安定的でありながら容易になされるものである。
【００２４】
この時、前記雌、雄ピースブロック１００、１１０と連結ブロック１２０はわく壁１０２、１１２、１２２と上下面に肉取りするのによって前記わく壁１０２、１１２、１２２より内入されてわく壁１０２、１１２、１２２の肉厚さと等しい肉厚さで形成された内入面１０３、１１３、１２３が形成され、前記内入面１０３、１１３、１２３に凹入部１４１の角部分と連結される部分に切開された弾性ホール１８０が形成されて前記凹入部１４１が弾性作用がなされるように形成されるものである。
【００２５】
すなわち、前記凹入部１４１を形成するわく壁と内入面の連結部分内側に形成された弾性ホール１８０によって連結部分の連結幅が細くなりながら弾性作用されるものである。
【００２６】
より詳細には、弾性ホール１８０の一側が凹入部１４１の角部分と連結されて開口になりながら凹入部１４１の結合のための構造を維持しながら弾性作用が可能になるものである。
【００２７】
この時、前記弾性ホール１８０は四角形や円形の形状で形成して弾性力で柔軟性あるように離れることが可能にさせたものである。
【００２８】
すなわち、弾性ホール１８０が四角形状である場合には水平と垂直が直交される外側角部分に離れようとする弾性離れのための中心になって弾性による離れが容易になるものである。
【００２９】
また、前記弾性ホール１８０が円形形状である場合には緩衝力を発生させて凹入部の弾性作用をより向上させるようになるものである。
【００３０】
この時、ブロックが組み立てされた状態で任意に分離しないようにしたかみ合い結合手段１７０は雌ピースブロック１００と連結ブロック１２０の凹入部１４１のガイド手段１５０が形成される結合面１０１、１０１に係止溝１７１に形成して、雄ピースブロック１１０と連結ブロック１２０に形成された突出部１４２の結合手段１６０側面に係止溝１７１に係止される係止突起１７２を形成するようにしたものである。
【００３１】
したがって、ブロックを組み立て方向に関係なく結合されながらも凹入部１４１の突出部が組み立てされる時に突出部１４２に形成された係止突起１６１が凹入部１４１の先端に係った状態で加圧すれば、凹入部１４１が弾性力で瞬間離れながら突出部１４２が完全に進入されながら係止突起１６１が係止溝１０４、１２４に係止されて、係止された状態で凹入部１４１の復元されて堅固な係止構造で結合がなされるようになるものである。
【符号の説明】
【００３２】
１００、１１０  雌、雄ピースブロック
１００ａ、１１０ａ、１２０ａ  回動軸
１２０  連結ブロック
１４０  かみ合い組み立て手段
１４１  凹入部
１４２  突出部
１５０  ガイド手段
１５１、１５２  突出顎
１６０  結合手段
【図１】
0003228400.tif 000003
【図２】
0003228400.tif 000004
【図３】
0003228400.tif 000005
【図４】
0003228400.tif 000006
【図５】
0003228400.tif 000007
【図６】
0003228400.tif 000008
【手続補正書】
【提出日】令和2年2月26日(2020.2.26)
【手続補正１】
【補正対象書類名】図面
【補正対象項目名】図１
【補正方法】変更
【補正の内容】
【図１】
0003228400.tif 000009